【事件の表示】
　商願２０００−４１３６８拒絶査定不服審判事件について、次のとおり審決する。
【結　論】
　原査定を取り消す。
　本願商標は、登録すべきものとする。
【理　由】
１　本願商標
　本願商標は、「ゼットぷらざ」の文字（標準文字による商標）を書してなり、第４１類及び第４２類に属する願書記載のとおりの役務を指定役務として、平成１２年４月１８日に登録出願されたものである。
　そして、願書記載の指定役務については、平成１３年７月４日付け、同１３年１１月５日付け、当審における同１４年５月２４日付け及び同１６年８月６日付け手続補正書により、第４１類「インターネットを利用した音楽の演奏に関する情報の提供，インターネットを利用した音楽の演奏の興行に関する情報の提供，インターネットを利用した作詞・作曲に関する知識の教授に関する情報の提供，インターネットを利用した作詞・作曲に関するコンテストの開催に関する情報の提供，インターネットを利用した楽器の貸与に関する情報の提供，インターネットを利用した映画の制作又は配給に関する情報の提供，インターネットを利用した映画の上映に関する情報の提供，インターネットを利用した映画の興行に関する情報の提供，インターネットを利用した演劇の演出又は上演に関する情報の提供，インターネットを利用した脚本の作成に関する情報の提供，インターネットを利用したインテリアコーディネートの教授に関する情報の提供，インターネットを利用したカラーコーディネートの教授に関する情報の提供，インターネットを利用した教育・学校・学習塾に関する情報の提供，インターネットを利用したゲームの提供に関する情報の提供，インターネットを利用した囲碁・将棋の興行の企画・運営又は開催に関する情報の提供，インターネットを利用した囲碁所・将棋所の提供に関する情報の提供，インターネットを利用した麻雀荘の提供に関する情報の提供，インターネットを利用した麻雀大会の企画・運営又は開催に関する情報の提供，インターネットを利用したスポーツの企画・運営又は開催に関する情報の提供，インターネットを利用したスポーツの教授に関する情報の提供，インターネットを利用したスポーツの結果に関する情報の提供，インターネットを利用したスポーツ施設の提供に関する情報の提供，インターネットを利用した釣り・狩猟に関するセミナーの企画・運営又は開催に関する情報の提供，インターネットを利用した釣り場・狩猟場の案内に関する情報の提供，インターネットを利用した釣り場・狩猟場の提供に関する情報の提供，インターネットを利用した生涯学習の教授・語学の教授・資格試験に関する情報の提供，インターネットを利用した生涯学習に関する講習会・研修会の企画・運営又は開催に関する情報の提供，インターネットを利用した哲学・道徳・倫理の教授に関する情報の提供，インターネットを利用した哲学・道徳・倫理の教育に関する情報の提供，インターネットを利用した哲学・道徳・倫理に関する講演会の企画・運営又は開催に関する情報の提供，インターネットを利用した語学に関するセミナーの企画・運営又は開催に関する情報の提供，技芸・スポーツ又は知識の教授，動物の調教，植物の供覧，動物の供覧，図書及び記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，ゴルフの興行の企画・運営又は開催，相撲の興行の企画・運営又は開催，ボクシングの興行の企画・運営又は開催，野球の興行の企画・運営又は開催，サッカーの興行の企画・運営又は開催，競馬の企画・運営又は開催，競輪の企画・運営又は開催，競艇の企画・運営又は開催，小型自動車競走の企画・運営又は開催，当せん金付証票の発売，音響用又は映像用のスタジオの提供，運　動施設の提供，娯楽施設の提供，興行場の座席の手配，映写機及びその附属品の貸与，映写フィルムの貸与，楽器の貸与，スキー用具の貸与，スキンダイビング用具の貸与，テレビジョン受信機の貸与，ラジオ受信機の貸与，図書の貸与，レコード又は録音済み磁気テープの貸与，録画済み磁気テープの貸与，おもちゃの貸与，遊園地用機械器具の貸与，遊戯用器具の貸与，インターネットを利用した小説・随筆・俳句・川柳・歴史・自分史・児童文学・絵本等の文芸品の展示に関する情報の提供，インターネットを利用した小説・随筆・俳句・川柳・歴史・自分史・児童文学・絵本等の文芸に関する講演会・討論会・セミナー・シンポジュームの企画・運営又は開催に関する情報の提供，インターネットを利用した油絵・水彩画・水墨画・版画・彫刻・仏像等の美術品の展示に関する情報の提供，インターネットを利用した油絵・水彩画・水墨画・版画・彫刻・仏像等の美術品の貸与に関する情報の提供，インターネットを利用した油絵・水彩画・水墨画・版画・彫刻・仏像等の美術品に関する講演会・討論会・セミナー・シンポジュームの企画・運営又は開催に関する情報の提供，インターネットを利用した油絵・水彩画・水墨画・版画・彫刻・仏像等の美術の教授に関する情報の提供，インターネットを利用した陶芸・木工・竹細工・ガラス細工等の工芸品の展示に関する情報の提供，インターネットを利用した陶芸・木工・竹細工・ガラス細工等の工芸品に関する講演会・討論会・セミナー・シンポジュームの企画・運営又開催に関する情報の提供，インターネットを利用した陶芸・木工・竹細工・ガラス細工等の工芸の教授に関する情報の提供，インターネットを利用した刺繍・編物等の手芸品の展示に関する情報の提供，インターネットを利用した刺繍・編物等の手芸品に関する講演会・討論会・セミナー・シンポジュームの企画・運営又開催に関する情報の提供，インターネットを利用した刺繍・編物等の手芸の教授に関する情報の提供，インターネットを利用した書道・華道・茶道の教授に関する情報の提供，インターネットを利用した書道・華道・茶道に関する資料の展示に関する情報の提供，インターネットを利用した書道・華道・茶道に関する講演会・討論会・セミナー・シンポジュームの企画・運営又開催に関する情報の提供，インターネットを利用した人物写真・風景写真・生物写真等の写真の展示に関する情報の提供，インターネットを利用した人物写真・風景写真・生物写真等の写真に関する知識の教授に関する情報の提供，インターネットを利用した人物写真・風景写真・生物写真等の写真のコンテスト及び写真展の企画・運営又は開催に関する情報の提供，インターネットを利用したパソコンの設定・操作に関する知識の教授に関する情報の提供，インターネットを利用した車・オートバイ・鉄道・船舶・飛行機等の乗物の展示に関する情報の提供，インターネットを利用した車・オートバイ・鉄道・船舶・飛行機等の乗物の展示会の企画・運営又は開催に関する情報の提供，インターネットを利用した犬・猫・小鳥・熱帯魚等のペットに関する知識の教授に関する情報の提供，インターネットを利用した犬・猫・小鳥・熱帯魚等の動物の供覧に関する情報の提供，インターネットを利用した犬・猫・小鳥・熱帯魚等のペットのコンテスト・品評会の企画・運営又は開催に関する情報の提供，インターネットを利用した犬・猫・小鳥等のペットの調教に関する情報の提供，インターネットを利用したガーデニングの教授に関する情報の提供，インターネットを利用した盆栽の教授に関する情報の提供，インターネットを利用した農作物加工の知識の教授に関する情報の提供，インターネットを利用した放牧・畜養等の動物の飼育に関する知識の教授に関する情報の提供，インターネットを利用した創作落語・古典芸能に関する知識の教授に関する情報の提供，インターネットを利用した創作落語・古典芸能の公演に関する情報の提供，インターネットを利用した創作落語・古典芸能の公演の企画・運営又は開催に関する情報の提供，インターネットを利用した登山・ハイキング・キャンプの企画・運営又は開催に関する情報の提供，インターネットを利用した登山用具の貸与・ハイキング用具の貸与・キャンプ用具の貸与に関する情報の提供，インターネットを利用した登山・ハイキング・キャンプ等の野外活動に関する知識の教授に関する情報の提供，インターネットを利用した菓子・菓子製造具及び菓子に関する資料の展示に関する情報の提供，インターネットを利用した料理・製菓の教授に関する情報の提供，インターネットを利用した料理・製菓に関する講演会の企画・運営又は開催に関する情報の提供，インターネットを利用した酒造に関する歴史的資料の展示に関する情報の提供，インターネットを利用した酒造に関する知識の教授に関する情報の提供，インターネットを利用した食材に関する知識の教授に関する情報の提供，インターネットを利用したアロマテラピー・ヨガ・占いに関する教授に関する情報の提供，インターネットを利用した育児に関する教授に関する情報の提供，インターネットを利用した育児に関する研究会及び講演会の企画・運営又は開催に関する情報の提供，インターネットを利用した礼儀作法に関する教授に関する情報の提供，インターネットを利用した礼儀作法に関する研究会及び講演会の企画・運営又は開催に関する情報の提供，インターネットを利用した外交問題に関する講演会・研修会・討論会の企画・運営及び開催に関する情報の提供，インターネットを利用したマンガ・イラスト・似顔絵の展示の企画・運営又は開催に関する情報の提供，インターネットを利用したマンガ・イラスト・似顔絵の教授に関する情報の提供」及び第４２類「インターネットを利用したインテリアコーディネートに関するデザインの考案に関する情報の提供，インターネットを利用したカラーコーディネートに関するデザインの考案に関する情報の提供，インターネットを利用した油絵・水彩画・水墨画・版画・彫刻・仏像等の美術品の鑑定に関する情報の提供，インターネットを利用した人物写真・風景写真・生物写真等の写真の貸与に関する情報の提供，インターネットを利用した写真の撮影に関する情報の提供，インターネットを利用した写真館に関する情報の提供，インターネットを利用したファッションに関する情報の提供，インターネットを利用した住宅地盤情報の提供，インターネットを利用した住宅用設備機器・器具の設定を含む建築物の設計・測量・地質の調査に関する情報の提供，インターネットを利用したエクステリアデザインの考案に関する情報の提供，インターネットを利用した生物・物理・化学・医学等の科学に関する情報の提供，インターネットを利用したマルチメディアソフトの作成に関する情報の提供，インターネットを利用した通信ネットワークシステムの設計・構築及び保守に関する情報の提供，インターネットを利用した車・オートバイ・鉄道・船舶・飛行機等の乗物のデザインの考案に関する情報の提供，インターネットを利用した車・オートバイ・鉄道・船舶・飛行機等の乗物の設計に関する情報の提供，インターネットを利用した気象に関する情報の提供，インターネットを利用した地震に関する情報の提供，インターネットを利用した宇宙の分野の試験・検査又は研究に関する情報の提供，インターネットを利用した人工衛星・スペースシャトルの設計に関する情報の提供，インターネットを利用した政治に関する情報の提供，インターネットを利用した行政に関する情報の提供，インターネットを利用した福祉に関する情報の提供，インターネットを利用した自然保護の研究に関する情報の提供，インターネットを利用した災害の防止に関する調査・実験及び研究に関する情報の提供，インターネットを利用した憲法・法律に関する情報の提供，インターネットを利用した選挙情報の提供，インターネットを利用した犬・猫・小鳥・熱帯魚等のペットの健康診断に関する情報の提供，インターネットを利用した犬・猫・小鳥・熱帯魚等のペットの交配の仲介に関する情報の提供，インターネットを利用した犬・猫・小鳥・熱帯魚等のペットの葬儀の執行に関する情報の提供，インターネットを利用した犬・猫・小鳥・熱帯魚等のペットの貸与に関する情報の提供，インターネットを利用した犬・猫・小鳥等のペットの美容に関する情報の提供，インターネットを利用した犬・猫・小鳥等のペットの理容に関する情報の提供，インターネットを利用した盆栽の貸与に関する情報の提供，インターネットを利用した農作物の残留農薬の分析に関する情報の提供，インターネットを利用した放牧・畜養等の動物の飼育に関する情報の提供，インターネットを利用した鳥の飼育に関する情報の提供，インターネットを利用した魚の飼育に関する情報の提供，獣医・飼育家及び愛玩動物の所有者に対する愛玩動物の世話・栄養及び飼育場所に関する情報の提供，インターネットを利用したキャンプ場の提供に関する情報の提供，インターネットを利用した飲食物の提供に関する情報の提供，インターネットを利用した受託によるマンガ・イラスト・似顔絵の制作に関する情報の提供，インターネットを利用した食材に関する情報の提供，インターネットを利用した美容に関する情報の提供，インターネットを利用した健康に関する情報の提供，インターネットを利用した医学に関する情報の提供，インターネットを利用した治療に関する情報の提供，インターネットを利用した健康食品・漢方薬・薬草の試験・検査又は研究に関する情報の提供，インターネットを利用した介護に関する情報の提供，インターネットを利用したアロマテラピーの提供に関する情報の提供，インターネットを利用した占いに関する情報の提供，インターネットを利用した育児に関する情報の提供，インターネットを利用した通夜・葬儀・法要に関する礼儀作法に関する情報の提供，宿泊施設の提供，宿泊施設の提供の契約の媒介又は取次ぎ，飲食物の提供，美容，理容，入浴施設の提供，写真の撮影，オフセット印刷，グラビア印刷，スクリーン印刷，石版印刷，凸版印刷，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集及び分別，産業廃棄物の収集及び分別，庭園又は花壇の手入れ，庭園樹の植樹，肥料の散布，雑草の防除，有害動物の防除（農業・園芸又は林業に関するものに限る。），建築物の設計，測量，地質の調査，機械・装置若しくは器具（これらの部品を含む。）又はこれらにより構成される設備の設計，デザインの考案，電子計算機・自動車その他その用途に応じて的確な操作をするためには高度の専門的な知識・技術又は経験を必要とする機械の性能・操作方法等に関する紹介及び説明，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，著作権の利用に関する契約の代理又は媒介，通訳，翻訳，施設の警備，身辺の警備，個人の身元又は行動に関する調査，あん摩・マッサージ及び指圧，きゅう，柔道整復，はり，医業，医療情報の提供，健康診断，歯科医業，調剤，栄養の指導，家畜の診療，保育所における乳幼児の保育，老人の養護，編み機の貸与，ミシンの貸与，衣服の貸与，植木の貸与，カーテンの貸与，家具の貸与，壁掛けの貸与，敷物の貸与，会議室の貸与，展示施設の貸与，カメラの貸与，光学機械器具の貸与，漁業用機械器具の貸与，鉱山機械器具の貸与，計測器の貸与，コンバインの貸与，祭壇の貸与，自動販売機の貸与，芝刈機の貸与，火災報知機の貸与，消火器の貸与，タオルの貸与，暖冷房装置の貸与，超音波診断装置の貸与，加熱器の貸与，調理台の貸与，流し台の貸与，凸版印刷機の貸与，電子計算機（中央処理装置及び電子計算機用プログラムを記憶させた電子回路・磁気ディスク・磁気テープその他の周辺機器を含む。）の貸与，美容院用又は理髪店用の機械器具の貸与，布団の貸与，理化学機械器具の貸与，ルームクーラーの貸与」と補正されたものである。
　
２　原査定の拒絶の理由
　原査定は、「指定役務は、商標とともに権利範囲を定めるものであるから、その内容及び範囲は明確でなければならないところ、本願商標に係る補正後の指定役務中『第４１類　インターネットを利用した音楽に関する情報の提供，インターネットを利用した作詞・作曲に関する情報の提供，インターネットを利用した映画に関する情報の提供，インターネットを利用した演劇に関する情報の提供，インターネットを利用した脚本に関する情報の提供，インターネットを利用したゲームに関する情報の提供，インターネットを利用した囲碁・将棋・麻雀に関する情報の提供，インターネットを利用したスポーツに関する情報の提供，インターネットを利用した釣り・狩猟に関する情報の提供，インターネットを利用したパソコンの設定・操作に関する情報の提供，インターネットを利用した犬・猫・小鳥・熱帯魚等のペットの供覧に関する情報の提供、第４２類インターネッ トを利用した生涯学習の教授・語学の教授・資格試験に関する情報の提供，インターネットを利用した写真館に関する情報の提供，インターネットを利用したマルチメディアソフトに関する情報の提供，インターネットを利用した通信ネットワークの構築及び運営に関する情報の提供，インターネットを利用した宇宙・天体の分野に関する情報の提供，インターネットを利用した宇宙開発に関する情報の提供，インターネットを利用した外交に関する情報の提供，インターネットを利用した自然保護に関する情報の提供，インターネットを利用した災害援助に関する情報の提供，インターネットを利用した選挙制度に関する情報の提供，インターネットを利用した哲学・道徳・倫理の教授に関する情報の提供，インターネットを利用した哲学・道徳・倫理の教育に関する情報の提供，インターネットを利用した哲学・道徳・倫理に関する講演会の企画・運営又は開催に関する情報の提供，インターネットを利用したマンガ・イラスト・似顔絵の作成に関する情報の提供，インターネットを利用したキャンプ場に関する情報の提供，インターネットを利用した料理情報の提供，インターネットを利用した飲酒文化に関する情報の提供，インターネットを利用した酒類の提供に関する情報の提供，インターネットを利用した酒類の内容に関する情報の提供，インターネットを利用した食材に関する情報の提供，インターネットを利用した美容・健康に関する情報の提供，インターネットを利用した医学・治療に関する情報の提供，インターネットを利用した健康食品・漢方薬・薬草に関する指導に関する情報の提供，インターネットを利用したアロマテラピー・禅・ヨガ・占いに関する情報の提供，インターネットを利用した礼儀作法に関する情報の提供』は、その内容及び範囲を明確に指定したものとは認められない。また、前記指定役務が不明確でその内容及び範囲が把握できないことから、政令で定める商品及び役務の区分に従って第４１，４２類の役務を指定したものと認めることもできない。したがって、本願は、商標法第６条第１項及び第２項の要件を具備しない。」旨認定、判断して、本願を拒絶したものである。
　
３　当審の判断
　本願の指定役務については、前記１のとおり補正された結果、その内容が明確で、かつ、商品及び役務の区分に従ったものになったと認められる。
　その結果、本願は、商標法第６条第１項及び第２項に規定する要件を具備するものとなった。　
　したがって、原査定の拒絶の理由は解消した。
　その他、政令で定める期間内に本願について拒絶の理由を発見しない。
　よって、結論のとおり審決する。